(57)【要約】【課題】安全機能を具えるモップ及び水切りバケツのセット組を提供する。【解決手段】モップ及び水切りバケツのセット組において、該モップは枢設回転するモップ持ち手、回転盤及び回転盤に固定する繊維束台を含む。これらにより、モップ持ち手の底端の固定台は結合台で傾斜枢設でき、該結合台の中段の軸部を回転盤の孔に入れ、回転盤底部には繊維束を結合した繊維束台を掛合する。そのため、回転盤が回転して脱水する時、該モップ持ち手は直立もしくは傾斜状態の時に勝手に回転しない安全機能を具える。固定台には穿設槽を具えた彈性凸縁を設置し、該凸縁で結合台の凹槽部の凹形箇所を押さえた時弾性伸縮停止機能を具える。モップに用いる水切りバケツは、ラチェット歯機構によって遠心式の脱水を達成する。【選択図】図１
0003147772.tif 000002
【実用新案登録請求の範囲】
【請求項１】
モップ及び水きりバケツから構成されたモップ及び水切りバケツのセット組において、
モップは
長方形桿体のモップ持ち手と、
一端の嵌合孔にちょうどモップ持ち手の端部が嵌合されて固定し、別端には凸停止部が設置されて結合台の凹槽部と共に枢設ピンを差し込み、可動枢設状態を形成し、また固定台の凸停止部の最上端には凸縁を設置して且つ凸縁に近い箇所には穿設槽を設置する固定台と、
凹槽部の外縁の底盤に近い箇所には錐形状の位置限定環を設置し、該位置限定環は二つの断面溝を具え、それを、弾性を具えた回転盤の軸心孔に差し込む結合台と、
その底板部には複数個の一字形ロック孔を環設し、各ロック孔の上方には複数の逆掛合片を成形して繊維束を入れて掛合しやすくし、該繊維束台の内部には縦方向の補強凸片を設置し、更に該繊維束台の内環周辺縁には突出した凸環を設置する繊維束台と、
中央に近い箇所に軸心孔を設置し、下方には掛合部を設置して繊維束台を掛合する回転盤を含み、
これらによって、モップ持ち手の底端の固定台が結合台に傾斜して枢設し、該結合台の中段の軸部は回転盤の軸孔に嵌合し、回転盤の底部は繊維束を結合する繊維束台を掛合して設置するため、回転盤が回転作動して脱水すると、該モップ持ち手は直立もしくは傾斜状態に係わらず、常にその回転を安全な状態で保ち、且つ固定台に穿設槽を具えた彈性凸縁を設置することにより、該凸縁を結合台の凹槽部の凹形箇所で押さえた時に弾力で伸縮停止する機能を具えたもので、
水切りバケツは、
納置空間を形成し、且つ納置空間の一側には欠切口を設置するバケツ体と、
該納置空間内に納置し、且つ該駆動ユニットは底台を設置し、該底台には両羽片を設置し、更に両羽片の間には可動腕及び伝動部品を枢設設置し、該可動腕の一側には踏み板を設置し、該踏み板は該筐体の欠切口に差し込み、また別側には円弧形歯竿を設置し、該伝動部品は同軸で伝動ギア及び第一ヘリカルギアを設置し、該伝動ギアは該円弧形歯竿に噛み合わせる駆動ユニットと、
枢設軸を設置し、且つ該枢設軸は該納置空間に差し込み、更に該枢設軸の上方は該納置空間内で受け部を固定し、該受け部は複数の孔を設置し、且つ該ラチェットベアリングの外周には第二ヘリカルギアを設置して該第二ヘリカルギアに該第一ヘリカルギアをかみ合わせる伝動部品を含むことを特徴とするモップ及び水切りバケツのセット組。
【請求項２】
前記該可動腕は、軸を設置し、且つ該軸には回復バネを嵌め、該軸を該両羽片に枢設し、該回復バネ両端はそれぞれ該可動腕及びそのうちの羽片で押さえることを特徴とする請求項１記載のモップ及び水切りバケツのセット組。
【考案の詳細な説明】
【技術分野】
【０００１】
本考案は、掃除用具に関するもので、特に一種のモップ及び水切りバケツのセット組に係わる。
【背景技術】
【０００２】
各種類型のモップは、既に各国で特許が取得されており、台湾では下記特許文献1のとおりである。これはモップにおける繊維束結合及び固定装置で、一フレーム上に設置した多数個の穿孔且つ該穿孔の大内径及び小内径から構成された構造を利用することにより、纏めて縛った掃除部品の折点を小内径から大内径へ入れやすくして、該掃除部品を戻して，該フレームを掃除用品上に固定する。
【０００３】
又，各類型のモップ用の水切りバケツは、各国で特許が取得されており、台湾では下記特許文献2に示すとおりである。その特徴は、一筐体，一装置部，一回転ユニット，一伝動ユニット，及び一押桿ユニットを含む。そのうち該筐体の底部は該装置部に設置し、該装置部には該押桿ユニットを枢設し、且つ該伝動ユニットは該装置部に設置し、更に該伝動ユニットは、順に連動するピニオン，案内レール，第一ギア，及び第二ギアを設置する。該押桿ユニットは該歯竿を動かし、該回転ユニットには該伝動ユニットを動かす伝動ギア軸及び一受部品に設置する。更に該伝動ギア軸を該筐体に差し込み、更に該伝動ギア軸は該筐体内に於いて該受部品を固定する。該押桿ユニットを踏むことによって該ピニオンが移動し、更に該第一ギア及び該第二ギアを動かし、該伝動ギア軸を動かし、該受部品が該筐体内で回転する。
【特許文献１】台湾  実用新案登録第M３３４６９７号「掃除部品を具えた掃除用品」
【特許文献２】台湾  実用新案登録第M３３８６３３４号「モップ用水切りバケツ構造」
【考案の開示】
【考案が解決しようとする課題】
【０００４】
解決しようとする問題点は、受部品が筐体内で回転するため、安全ではない点である。
【課題を解決するための手段】
【０００５】
本考案において、該モップは枢設回転するモップ持ち手、回転盤及び回転盤に固定する繊維束台を含む。これらにより、モップ持ち手の底端の固定台は結合台で傾斜枢設でき、該結合台の中段の軸部を回転盤の孔に入れ、回転盤底部には繊維束を結合した繊維束台を掛合する。そのため、回転盤が回転して脱水する時、該モップ持ち手は直立もしくは傾斜状態の時に勝手に回転しない安全機能を具える。固定台には穿設槽を具えた彈性凸縁を設置し、該凸縁で結合台の凹槽部の凹形箇所を押さえた時弾性伸縮停止機能を具える。モップに用いる水切りバケツは、ラチェット歯機構によって遠心式の脱水を達成する。
すなわち本考案は、
モップ及び水きりバケツから構成されたモップ及び水切りバケツのセット組において、
モップは
長方形桿体のモップ持ち手と、
一端の嵌合孔にちょうどモップ持ち手の端部が嵌合されて固定し、別端には凸停止部が設置されて結合台の凹槽部と共に枢設ピンを差し込み、可動枢設状態を形成し、また固定台の凸停止部の最上端には凸縁を設置して且つ凸縁に近い箇所には穿設槽を設置する固定台と、
凹槽部の外縁の底盤に近い箇所には錐形状の位置限定環を設置し、該位置限定環は二つの断面溝を具え、それを、弾性を具えた回転盤の軸心孔に差し込む結合台と、
その底板部には複数個の一字形ロック孔を環設し、各ロック孔の上方には複数の逆掛合片を成形して繊維束を入れて掛合しやすくし、該繊維束台の内部には縦方向の補強凸片を設置し、更に該繊維束台の内環周辺縁には突出した凸環を設置する繊維束台と、
中央に近い箇所に軸心孔を設置し、下方には掛合部を設置して繊維束台を掛合する回転盤を含み、
これらによって、モップ持ち手の底端の固定台が結合台に傾斜して枢設し、該結合台の中段の軸部は回転盤の軸孔に嵌合し、回転盤の底部は繊維束を結合する繊維束台を掛合して設置するため、回転盤が回転作動して脱水すると、該モップ持ち手は直立もしくは傾斜状態に係わらず、常にその回転を安全な状態で保ち、且つ固定台に穿設槽を具えた彈性凸縁を設置することにより、該凸縁を結合台の凹槽部の凹形箇所で押さえた時に弾力で伸縮停止する機能を具えたもので、
水切りバケツは、
納置空間を形成し、且つ納置空間の一側には欠切口を設置するバケツ体と、
該納置空間内に納置し、且つ該駆動ユニットは底台を設置し、該底台には両羽片を設置し、更に両羽片の間には可動腕及び伝動部品を枢設設置し、該可動腕の一側には踏み板を設置し、該踏み板は該筐体の欠切口に差し込み、また別側には円弧形歯竿を設置し、該伝動部品は同軸で伝動ギア及び第一ヘリカルギアを設置し、該伝動ギアは該円弧形歯竿に噛み合わせる駆動ユニットと、
枢設軸を設置し、且つ該枢設軸は該納置空間に差し込み、更に該枢設軸の上方は該納置空間内で受け部を固定し、該受け部は複数の孔を設置し、且つ該ラチェットベアリングの外周には第二ヘリカルギアを設置して該第二ヘリカルギアに該第一ヘリカルギアをかみ合わせる伝動部品を含むことを特徴とする。
また、前記該可動腕は、軸を設置し、且つ該軸には回復バネを嵌め、該軸を該両羽片に枢設し、該回復バネ両端はそれぞれ該可動腕及びそのうちの羽片で押さえることを特徴とする。
【考案の効果】
【０００６】
本考案のモップ及び水切りバケツのセット組は、安全機能を具えるという利点がある。
【考案を実施するための最良の形態】
【０００７】
本考案の主な目的は、一種のモップ及び水切りバケツのセット組を提供し、具体的な実施例を挙げて図式と共に説明する。
【０００８】
図１に示すのは、本考案のモップ及び水切りバケツのセット組に基づく。
【０００９】
図２から図９及び、図１に示すとおり、モップは、モップ持ち手１，固定台２，結合台３，回転盤４，及び繊維束台５を含む。
【００１０】
固定台２は、プラスチックで製造し、その上端には嵌合孔２１を設置する。それはちょうどモップ持ち手１の下端部１１と嵌合固定し、固定台２の下端には凸停止部２２を設置し、枢設ピン３２を結合台３上方の凹槽部３１及び凸停止部２２に差し込むと、二者を結合して可動枢設する。また固定台２の凸停止部２２の下端には円弧形突出部２３を成形し、その内部には穿設槽２４を設置し、更にその外部の最も低い箇所で穿設槽２４に近いところに中央凸縁２３１を凸設し、それは凹槽部３１底部の凹形箇所３１１内に当たる。
【００１１】
回転盤４中央には軸心孔４１を設置し、底部の周辺に近い箇所には第一外環４２及び第二外環４３を設置し、更に中央に近い箇所に内環４４を設置する。結合台３を軸心孔４１に差し込むと、その底盤３３は内環４４内にゆるく嵌合され、結合台３及び回転盤４が組み合わさる。そのため、回転盤４は結合台３に相対して自在に回転する。更に底盤３３と内環４４の底部には平面が形成されているので、結合台３の環状は底蓋３４を分離して内環４４の外側に嵌合し、内環４４及び底盤３３を封鎖して結合台３を固定して落ちないようにする。
【００１２】
繊維束台５は、環形で且つ環形槽５１を設置する。複数個の補強凸片５５は環形槽５１を複数の区段に分割し、各区段の底部には字形のロック孔５２を二個ずつ設置し、更に各ロック孔５２には四個の逆掛合片５３を設置し、及び内環の凸環５６によって繊維束台５の強度を高める。
【００１３】
各繊維束５４は、各字形のロック孔５２に差し込み、且つ逆掛合片５３で繊維束台５の各区段内に掛合固定する。更に繊維束台５は回転盤４下方の第一外環４２及び第二外環４３に形成した空間内に掛合固定する。
【００１４】
モップ持ち手１は、固定台２で結合台３と枢設する。即ち使用者がモップ持ち手１の角度を移動させることができ、穿設槽２４の作用によって突出部２３を塑性圧縮し、よって凸縁２３１は一時的に凹形箇所３１１から離脱し、停止部２２の最上部に当たって凹槽部３１の最上部で止まる。
【００１５】
強調すべき点として、回転盤４が回転すると、結合台３，固定台２及びモップ持ち手１が回転しないで静止状態になり、そのため繊維束台５の繊維束５４は遠心回転で水を含ませる。
【００１６】
図１０から図１３に示すとおり、水切りバケツの第一実施例は、バケツ体６を含み、バケツ体６の最上縁には枢設回転するハンドル６３を設置し、バケツ体６内に納置空間６１を形成し、及びバケツ体６の一側には欠切口６２を成形する。
【００１７】
駆動ユニット７は、納置空間６１附近に設置して矩形の底台７１を含む。その中央には凹孔７１４を設置し、底台７１二側に相対する二枚の三角形の羽片７１０を設置し、及び各羽片７１０の最上端に近い箇所には第一穿孔７１２を設置する。そのうち羽片７１０の中央には第二穿孔７１３を設置する。可動腕７３は孔７３３及び孔７３３と相対する軸７３０を設置し、該軸７３０には回復バネ７５を被せる。該回復バネ７５の両端はそれぞれ該可動腕７３及び羽片７１０で押さえる。踏み板７３１は該バケツ体６の欠切口６２に差し込み、踏み板７３１に相対して円弧形歯竿７３２、二枢設ピン７１１を設置する。そのうち枢設ピン７１１は第一穿孔７１２及び軸７３０を差し込み、別の枢設ピン７１１は別の第一穿孔７１２及び孔７３３に差し込み、可動腕７３を底台７１の両羽片７１０上に枢設しやすくする。
【００１８】
駆動ユニット７は、更に伝動部品７４を含む。該伝動部品７４は、同軸で伝動ギア７４０及び比較の大きな第一ヘリカルギア７４１を設置する。該伝動ギア７４０は該円弧形歯竿７３２に噛み合い、及び螺合部品７４２は第一ヘリカルギア７４１及び伝動ギア７４０の中心及び第二穿孔７１３に差し込んで伝動部品７４を羽片７１０上で回転させる。駆動ユニット７は更にラチェットベアリング７０を含み、第二ヘリカルギア７２は該ラチェットベアリング７０外に被せ、且つそのラチェット歯と結合し、更に第一ヘリカルギア７４１と噛み合う。
【００１９】
貯水籠８はバケツ体６内に装置し、枢設軸８２を含み、下向きにラチェットベアリング７０を差し込んで固定し、凹孔７１４で回転し、可動固定する。更に枢設軸８２上端に設置する円柱の中空の受け部８１を含み、該受け部８１の四方複数個の排水用の孔８０が成形される。
【００２０】
使用時、使用者は該踏み板７３１を踏む。該可動腕７３は該軸７３０に相対して回転し、同時に該回復バネ７５を圧縮し、該伝動ギア７４０を動かす。該第一ヘリカルギア７４１及び該第二ヘリカルギア７２の順に動き、ラチェットベアリング７０と第二ヘリカルギア７２のラチェット歯の結合によって該枢設軸８２を回転し、該受け部８１をスピーディに回転させ、遠心力によって受け部８１内の脱水待ち物品(例としてモップの繊維束)を脱水する。
【００２１】
反対に該踏み板７３１を踏むのを緩めると、該可動腕７３は該回復バネ７５の反発力を受け、該踏み板７３１を元の未使用状態に戻し、その時、該可動腕７３は該軸７３０に相対して反対方向に回転し、更に同時に該回復バネ７５を緩め、該伝動ギア７４０を反対方向に動かす。該第一ヘリカルギア７４１及び該第二ヘリカルギア７２を順にｊ反対に動かすが、第二ヘリカルギア７２の回転はラチェットベアリング７０を回転させず、反対にラチェットベアリング７０を止める。即ち枢設軸８２は受け部８１を空転させて一定位置を維持し、反転しない。これらによって該踏み板７３１を反復して押したり離したりすることで，該受け部８１をスピーディに回転させ即座に脱水効果を得る。
【図面の簡単な説明】
【００２２】
【図１】本考案の立体図である。
【図２】本考案のモップの部分の分解図である。
【図３】図２の拡大図である。
【図４】本考案のモップの繊維束台の立体図である。
【図５】図４の俯瞰図でそのうち繊維束を除いた図である。
【図６】図５の部分の拡大立体図である。
【図７】本考案のモップ下方の断面図である。
【図８】図７と類似するが、モップ持ち手が傾斜した状態図である。
【図９】本考案のモップ下方の別の断面図である。
【図１０】本考案の水切りバケツの第一実施例の立体図である。
【図１１】図１０の分解図である。
【図１２】図１１の駆動ユニットを組み立てた後の断面図である。
【図１３】図１１の駆動ユニットを組み立てた後の立体図である。
【符号の説明】
【００２３】
１        モップ持ち手
１１        端部
２        固定台
２１        嵌合孔
２２        凸停止部
２３        突出部
２３１        凸縁
２４        穿設槽
３        結合台
３１        凹槽部
３１１        凹形箇所
３２        枢設ピン
３３        底盤
３４        底蓋
４        回転盤
４１        軸心孔
４２        第一外環
４３        第二外環
４４        外環
５        繊維束台
５１        環形槽
５２        ロック孔
５３        逆掛合片
５４        繊維束
５５        補強凸片
５６        凸環
６        バケツ体
６１        納置空間
６２        欠切口
６３        ハンドル
７        駆動ユニット
７０        ラチェットベアリング
７１        底台
７１０        羽片
７１１        枢設ピン
７１２        第一穿孔
７１３        第二穿孔
７１４        凹孔
７２        第二ヘリカルギア
７３        可動腕
７３０        軸
７３１        踏み板
７３２        歯竿
７３３        歯竿
７４        伝動部品
７４０        伝動ギア
７４１        第一ヘリカルギア
７４２        螺合部品
７５        回復バネ
８        貯水籠
８０        孔
８１        受け部
８２        枢設軸
【図１】
0003147772.tif 000003
【図２】
0003147772.tif 000004
【図３】
0003147772.tif 000005
【図４】
0003147772.tif 000006
【図５】
0003147772.tif 000007
【図６】
0003147772.tif 000008
【図７】
0003147772.tif 000009
【図８】
0003147772.tif 000010
【図９】
0003147772.tif 000011
【図１０】
0003147772.tif 000012
【図１１】
0003147772.tif 000013
【図１２】
0003147772.tif 000014
【図１３】
0003147772.tif 000015